(57)【特許請求の範囲】
【請求項１】
地中掘削穴内の漏水防止面下に、少なくとも一部に透水性部分を有する包材で所定量のセメント粉を包んでなるセメント包みを、前記透水性部分を漏水防止面の裏面に向けて複数敷き詰めて形成されている水硬化性物質層が、前記地中掘削穴内の漏水防止必要箇所の地盤面上に非透水性部材を介して設けられていることを特徴とする地中掘削穴の漏水防止構造。
【発明の詳細な説明】
【０００１】
【発明の属する技術分野】
本発明は、廃棄物処理等で使用する地中掘削穴内の漏水防止構造に関する。
【０００２】
【従来の技術】
廃棄物の処理方法として、地中に深く掘削した穴に廃棄物を埋設処理する方法がある。地中掘削穴では、埋設廃棄物から出る汚れた水等が地中内に浸透して周囲に環境被害を及ぼさないよう漏水防止策が施されている。しかし、時として漏水が発生する場合もあり、かかる場合には、漏水の流れを遮断するためにシートパイル等を打設して処理していた。
【０００３】
【発明が解決しようとする課題】
しかし、シートパイル等の打設では、機材等の搬入も含めて準備や作業に手間がかかり迅速対応がとりにくい。漏水箇所は、発生当初は小さくても、時間経過とともに拡大して手が着けられなくなる場合がある。漏水箇所が小さなうちに早期補修が望まれる。さらに、機材を必要とするシートパイル等の打設ではどうしても作業規模が大きくなりその分工事費が嵩む。
また、漏水箇所の特定も、廃棄物を埋設処理した地中掘削穴内であれば容易ではなく、特定までに時間がかかり被害が拡大するおそれがある。さらには、漏水箇所が特定されても地中掘削穴が深い場合には、補修そのものが事実上不可能となり、埋設箇所の移設自体を考慮すべき場合も起きる。
そこで本願発明は上記問題点に鑑み提案されたもので、人手を掛けずに発生初期に極力漏水を止めるとともに、万一漏水を止められないまでも、漏水箇所の特定及び補修までは漏水量を抑えて漏水被害の拡大防止が図れる技術の開発を目的とする。
【０００４】
【課題を解決するための手段】
上記課題を解決するために、本願の請求項１に記載の発明は、廃棄物処理等で使用する地中掘削穴の漏水防止構造であって、前記地中掘削穴内の漏水防止面下に水硬化性物質層を設けた。
さらに、請求項２に記載の発明は、請求項１に記載の発明で、水硬化性物質層を、地中掘削穴内の漏水防止必要箇所の地盤面上に非透水性部材を介して設け、この水硬化性物質層上に漏水防止面を形成した。
また、請求項３に記載の発明は、請求項１又は２に記載の発明で、水硬化性物質層を、少なくとも一部に透水性部分を有する包材で所定量のセメント粉を包んでなるセメント包みを、前記透水性部分を漏水防止面の裏面に向けて複数敷きつめて形成した。
【０００５】
上記構成の漏水防止構造では、地中掘削穴の漏水防止が必要な箇所の地盤面上に、漏水防止面が上に形成された水硬化性物質層が設けられている。通常は漏水防止面で漏水を防止するが、万一にも漏水防止面に穴があく等して水が漏れた場合には、水硬化性物質が漏れた水と反応して硬化し漏水を止めることができる。漏水規模が小さな場合には初期の状態で漏水を止めることができる。また、漏水規模が大きく完全に止められない場合でも、水硬化性物質の硬化により漏水量を抑えられるので、漏水箇所の特定及び補修までの間漏水被害を最小限に食い止められる。
【０００６】
また、水硬化性物質層を、非透水性部材を介して地盤面上に設ければ、地中掘削穴の地盤内の水分を吸水して硬化することがない。かかる水硬化性物質として、例えばセメントを使用することができる。また、かかる非透水性部材や漏水防止面の形成には、例えば従来の漏水防止シートが使用できる。
また、水硬化性物質層の形成に際しては、所定量のセメント粉を少なくとも一部に透水性部分を有する包材で包んだセメント包みを一つの単位として、地盤面上に直接或は非透水性部材を介して複数敷きつめて形成しても構わない。セメント包みを複数敷きつめる手段をとれば、広い面積に亙ってセメント粉を使用して水硬化性物質層を形成する場合でも、特に地中掘削穴内の斜面への適用に際してセメント粉が流れず形成作業が行ない易い。
【０００７】
さらに、セメント包みは、その包材の透水性部分が漏水防止面の裏面を向くようにして敷きつめられているので、漏水防止面を通過した漏水がセメント粉と直ちに水和反応を起こし、迅速な止水処置等が行なえる。
尚、水硬化性物質層の形成は、水との反応により硬化して漏水を止める機能が確保できれば、基本的にはどのような作業で行なっても構わない。しかし、上記のセメント包みのように所定量の水硬化性物質を包材で包んだ包みを、地盤面上に直接、或は非透水性部材面を介してその上に複数敷きつめると作業は行ない易い。
包材は、材質として柔軟なものでも、硬質のものでも構わない。柔軟な包材を袋状に形成して、その中にセメント粉等の水硬化性物質を充填した包みは、敷きつめ箇所に多少の凹凸、或は曲面等があってもそれぞれ敷きつめ箇所の形状に沿わせてフレキシブルに変形できるので作業性がよい。また、敷きつめ箇所の小さな凹凸等では、包みを敷きつめた面上に不要な凹凸や隙間等を発生させずに済む。一方、硬質の包材で定形のブロック状に包みを形成すれば、平面部分等では上記場合より作業性がよい。
【０００８】
【発明の実施の形態】
本発明の漏水防止構造の実施形態について、以下図により説明する。
本実施形態の漏水防止構造は、図１に示すように、所定深度で地中に設けた地中掘削穴に適用されている。本実施形態では、略すり鉢状に掘削された地中掘削穴の漏水防止必要箇所の地盤面全体に、市販の漏水防止シートが非透水性部材１０として敷かれている。
さらに、非透水性部材１０面上には、水硬化性物質として水で固化するセメント粉を使用した所定層厚の水硬化性物質層２０が形成され、その上に漏水防止面３０が形成されている。水硬化性物質層２０の層厚は、危惧される漏水予想量に合わせて適宜設定すればよい。
【０００９】
例えば、地中掘削穴の底面側から離れた上方の垂直面側等では、地中掘削穴を貯水用に使用する以外は漏水が考えにくいため、水硬化性物質層２０の層厚は底面側に比べて薄くできる。例えばセメント粉を使用する場合には、薄く散布する程度でもよい場合がある。
しかし、底面及びそれに近い側では、漏水発生確率は高く、且つ漏水時の水圧も高くなると予想されるため、水硬化性物質層２０を上記ケースより厚くしなければならない。
本実施形態では、セメント粉を使用した水硬化性物質層２０は、図２に示すように、所定量のセメント粉を包材で包んだセメント包み４０を、非透水性部材１０面上に敷きつめて形成されている。セメント包み４０は、図２（ａ）に示すように、硬質の包材を使用して定形の略ブロック状に形成しても構わないし、或は図２（ｂ）に示すように柔軟な包材を略袋状に形成してフレキシブルに形変形ができるようにしても構わない。
【００１０】
例えば、定形のブロック状のセメント包み４０は、平らな底面や、図３（ａ）に示すように平らな斜面等での使用に適している。一方、図１に示すような曲率の大きい面や、図３（ｂ）に示すように角部分の宛てがいに使用する場合には、柔軟な包材で形変形可能に形成されたセメント包み４０の方が使用し易い。
また、いずれの場合にもセメント包み４０の包材の一部は、図２（ａ）、（ｂ）で示すように、透水性部分４１（図中斜線で示す）に形成されている。本実施形態では包材は非透水性素材で形成され、透水性部分４１のみ透水性の別素材が使用されている。
硬質の非透水性包材としては例えば硬質プラスチック等が使用でき、柔軟な包材としては例えばポリエチレンシート等の薄膜状の包材が使用できる。また、透水性部分には透水性薄膜素材や、或はセメント粉が出ない程度の細密メッシュ材等を使用しても構わない。
【００１１】
本実施形態では、硬質性或は柔軟性の包材を使用した上記形態のセメント包み４０が適宜選択され、透水性部分４１が非透水性部材１０面上に上方を向けて敷きつめられている。かかる要領で形成された水硬化性物質層２０の上に漏水防止面３０が形成され、その裏面は透水性部分４１に面接触させられている。
漏水防止面３０の形成には、水硬化性物質層２０上面に非透水性部材を設けて形成すればよい。本実施形態では、上記非透水性部材１０で使用したと同様の漏水防止シートを水硬化性物質層２０上面に敷いて形成されている。
また、上記セメント包み４０の敷きつめに際しては、セメント包み４０を複数段に積み重ねて敷きつめるようにしても構わない。
このようにして、本実施形態では、すり鉢状の地中掘削穴内の地盤面全体に、漏水防止シートを非透水性部材１０及び漏水防止面３０の形成に使用して、それらの間にセメント粉を挟んだ水硬化性物質層２０からなる漏水防止構造が設けられている。
【００１２】
上記実施形態中、非透水性部材１０、或は漏水防止面３０の形成に使用した漏水防止シートは、一枚使用でも或は２枚以上重ねて使用しても構わない。
上記実施形態では、漏水防止構造を地中掘削穴の地盤面全体に施工するとして説明したが、漏水の危惧がある箇所が底面の一部等の特定範囲に限定できる場合には、地盤面全体に漏水防止構造を適用せずその部分のみスポット的に施工しても構わない。
また、上記実施形態では、水硬化性物質層２０をセメント包み４０を使用して形成したが、小規模な地中掘削穴の場合等では、セメント包み４０の裏側の包材の非透水性部分を地盤面に向けて直接敷きつめて水硬化性物質層２０を形成しても構わない。漏水防止面３０の形成は前記説明の要領で形成すればよい。かかる様子を、図４に示した。このようにすれば、非透水性部材１０の構成を、セメント包み４０の包材の非透水性部分で代用させることかでき、小規模現場等では非透水性部材１０を介在させる手間等が省け施工時間の短縮、施工費用の低減が図れる。
【００１３】
上記実施形態では、上記水硬化性物質層２０を、所定量のセメント粉を包材に包んだセメント包み４０を敷きつめるようにして形成したが、それ以外の方法で形成しても構わない。
水硬化性物質層２０の別の実施形態としては、面上に水硬化性物質層２０の層厚に合わせた長さの起毛状等の小突起を多数形成した漏水防止シートを非透水性部材１０とし、このシート面上に小突起の高さまでセメント粉を撒いて押し固めるようにして水硬化性物質層２０を形成しても構わない。セメント粉は、押し固められ、且つ多数の小突起により留められているので、比較的緩い斜面ならばこの構成でセメント粉を使用した水硬化性物質層２０を形成することができる。
さらには、漏水防止面３０の裏面側にも上記要領の小突起を設けておき、非透水性部材１０表面上の小突起と噛み合わせるようにして漏水防止面３０を形成すればよりセメント粉の移動も起きにくい。かかる様子を図５（ａ）に示した。
【００１４】
或は、図５（ｂ）に示すように、所定面積の一対の非透水性のシートを、シート面を小区画に画する中仕切りを介して所定間隔に対面させておき、その小区画部分にセメント粉を充填させるようにして水硬化性物質層２０を形成しても構わない。かかる構成では、水硬化性物質層２０を挟んだ一方の面を非透水性部材１０とし、他方の面を漏水防止面３０として使用でき、且つこれらが一体になっている。そのため工場生産等で一定面積のユニット状等に予め形成しておくことも可能で、より現場の施工作業がし易くなる。
さらには、セメント粉層の層厚を薄くして済む場合には、図５（ｃ）に示すように、非透水性フィルム間に薄くセメント粉層を挟んで、両フィルムを圧着するようにしても構わない。圧着に際してはキルティングのステッチ止めのように、圧着した仕切り部を設けておけばセメント粉の移動が起きない。このように薄く成形しておけば、地中掘削穴以外にも、例えばマンション等の上階の浴室床下部分や壁面下等の建築構造部分へ使用することもできる。
尚、図５（ａ）、（ｂ）及び（ｃ）に示すように、セメント粉を挟む上下の部材には柔軟性がある部材を使用することにより、平面のみならず局面に沿わせて使用できるのでより施工性がよい。また、図５に示す層状構造を複数段重ねるようにしても構わない。
【００１５】
水硬化性物質としては、上記説明ではセメント粉を使用した場合について説明したが、目的に適うものであればセメント粉以外のものを使用しても構わない。使用に際しては、上記セメント粉と同様、斜面等への適用を考慮して所定層厚が維持できるようその物質が流れないようにすること、且つ直接地盤面の水分と接しないようにすること等の配慮を行なえばよい。
例えば、かかる水硬化性物質をセメント包み４０の構成と同様に、適当な包材で包んで包みを形成し、それらを敷きつめるようにしても構わない。或は、図５に示すような形態で使用しても構わない。
【００１６】
上記実施形態で述べた漏水防止構造は、廃棄物埋設処理用、或は簡易貯水用等の種々の漏水防止を必要とする地中掘削穴の漏水防止部分に適用できる。
また、上記実施形態では、非透水性部材１０として従来より知られている漏水防止シートを使用したが、なんらこれに限定する必要はなく、金属素材、樹脂素材等でを非透水性に形成されている部材であれば構わない。漏水防止面３０の形成に際しても、非透水性部材１０と同様に漏水防止シート以外にかかる素材からなる部材を使用できる。
さらに、上記実施形態では、セメント包みの一部を透水性部分に形成した場合を示したが、包み全体を透水性にしておいても構わない。かかる場合には、前記実施形態ように包みの上下を非透水性の部材で挟んで使用する限りは、直接地盤中の水分吸収等が避けられるので何ら支障がない。特に、かかる構成のセメント包みを地中掘削穴の上記実施形態で使用すれば、地中掘削穴内部からの漏水防止が行なえるとともに、地盤側から地中掘削穴内への万一の地下水等の水の滲み出し等に備えることもできる。
【００１７】
【発明の効果】
本発明により、漏水防止面下には水硬化性物質層（例えば、セメント層）が形成されているので、漏水が発生した場合には、漏れた水と水硬化性物質とが漏水防止面下で直ちに反応して硬化するので、人手を掛けずに自動的に漏水が止められる。
また、完全に漏水を抑え切れない程大規模な漏水事故でも、漏水箇所の特定及び補修までの間、漏水量を極力抑えて漏水被害を最小限に食い止められる。
【図面の簡単な説明】
【図１】本実施形態の適用状況を示す地中掘削穴の断面図（ａ）と、（ａ）の丸で囲んだ漏水防止構造部分の部分拡大図（ｂ）。
【図２】本実施形態で使用するセメント包みを示す斜視図（ａ）、（ｂ）。
【図３】本実施形態の斜面部分への適用を示す断面図（ａ）と、柔軟性のある包材を使用したセメント包みを地中掘削穴の底部角部分に使用した状況を示す部分断面図（ｂ）。
【図４】セメント包みを地中掘削穴内の地盤面に直接敷きつめた状況を示す断面図。
【図５】水硬化性物質層の別の実施形態を示す断面図（ａ）、（ｂ）、（ｃ）。
【符号の説明】
１０    非透水性部材
２０    水硬化性物質層
３０    漏水防止面
４０    セメント包み
【図１】
0003616209.tif 000002
【図２】
0003616209.tif 000003
【図３】
0003616209.tif 000004
【図４】
0003616209.tif 000005
【図５】
0003616209.tif 000006